(57)【要約】      （修正有）【課題】太陽光の収集を増加させることが可能な太陽電池モジュールを提供する。【解決手段】両面受光型太陽電池モジュール１００は、前面パッケージ化構成要素と裏面パッケージ化構成要素とによって保護された太陽電池１０１を含む。前面パッケージ化構成要素は、太陽電池モジュール１００の前部上の透明トップカバー２５１を含む。裏面パッケージ化構成要素は、太陽電池モジュール１００の後部から光が入射して太陽電池に到達するのを可能にする透明部分２５３−２と、太陽電池モジュールの前部から入射する光を反射する反射部分２５３−１とを有する。例えばバックシート上に着色顔料を印刷することによって、透明部分及び反射部分２５３−２、２５３−１をバックシートと一体化することができる。反射部分２５３−１はまた、バックシートから分離している反射板構成要素上に存在してもよい。【選択図】図６
2018137465.tif 000002
【特許請求の範囲】
【請求項１】
両面受光型太陽電池モジュールであって、
複数の太陽電池と、
前記複数の太陽電池を封入する封入材と、
前記両面受光型太陽電池モジュールの前部上の透明なトップカバーと、
前記両面受光型太陽電池モジュールの後部上のバックシートであって、前記バックシートは複数の透明部分を有し、前記複数の透明部分は、前記後部から見たときに前記複数の太陽電池の裏面を露出し、前記両面受光型太陽電池モジュールの前記後部から入射する光が前記複数の透明部分を通じて入ることを可能にし、前記バックシートは、前記両面受光型太陽電池モジュールの前記前部から入射する光を反射する一体型の反射部分を有する、バックシートと、を備え、
前記複数の太陽電池に接続され、太陽側に向かって反射性相互接続シールドが配置される相互接続が前記封入材にて封止される、両面受光型太陽電池モジュール。
【請求項２】
両面受光型太陽電池モジュールであって、
複数の太陽電池と、
前記複数の太陽電池を封入する封入材と、
前記両面受光型太陽電池モジュールの前部上の透明なトップカバーと、
前記両面受光型太陽電池モジュールの後部上のバックシートであって、前記バックシートは複数の透明部分を有し、前記複数の透明部分は、前記後部から見たときに前記複数の太陽電池の裏面を露出し、前記両面受光型太陽電池モジュールの前記後部から入射する光が前記複数の透明部分を通じて入ることを可能にし、前記バックシートは、前記両面受光型太陽電池モジュールの前記前部から入射する光を反射する一体型の反射部分を有する、バックシートと、を備え、
前記両面受光型太陽電池モジュールが、
複数の裏面コンタクト型太陽電池と、
前記複数の太陽電池と接触する相互接続と、
前記相互接続の太陽側に向かって配置される反射性相互接続シールドと、
を有する、両面受光型太陽電池モジュール。
【請求項３】
前記複数の太陽電池が、複数の裏面コンタクト型太陽電池を含む、請求項１に記載の両面受光型太陽電池モジュール。
【請求項４】
前記反射部分が、２つの隣接した太陽電池の間の空間を１つの次元に沿ってのみカバーする、請求項１から３のいずれか一項に記載の両面受光型太陽電池モジュール。
【請求項５】
前記透明なトップカバー、前記封入材、及び前記バックシートに機械的な支持を提供するフレームを更に備える、請求項１または２に記載の両面受光型太陽電池モジュール。
【請求項６】
前記反射部分が、２つの隣接した太陽電池の間の空間を２つの次元に沿ってカバーする、請求項１または２に記載の両面受光型太陽電池モジュール。
【請求項７】
前記反射部分が、前記フレームと隣接した太陽電池との間の空間を２つの次元に沿ってカバーする、請求項５に記載の両面受光型太陽電池モジュール。
【請求項８】
前記一体型の反射部分が、前記バックシート上に白色顔料を含む、請求項１から７のいずれか一項に記載の両面受光型太陽電池モジュール。
【請求項９】
前記一体型の反射部分が、光の散乱のためのテクスチャを有する反射材を含む、請求項１から８のいずれか一項に記載の両面受光型太陽電池モジュール。
【請求項１０】
前記反射部分が、４つの隣接した太陽電池によって形成された菱形の区域をカバーする、請求項１から９のいずれか一項に記載の両面受光型太陽電池モジュール。
【請求項１１】
両面受光型太陽電池モジュールの作製方法であって、
複数の太陽電池を複数の裏面パッケージ化構成要素と複数の前面パッケージ化構成要素との間に配置する工程において、前記複数の裏面パッケージ化構成要素は、光が透過して前記両面受光型太陽電池モジュールの後部から前記複数の太陽電池に到達することが可能な透明部分を含み、前記複数の裏面パッケージ化構成要素は、前記両面受光型太陽電池モジュールの前部から入射する光を反射する反射部分を含む、工程と、
前記複数の前面パッケージ化構成要素を形成する工程において、前記複数の太陽電池と前記複数の裏面パッケージ化構成要素とが一緒になって保護パッケージを生成する工程と、
前記保護パッケージをフレーム上に装着する工程と、を含み、
前記複数の太陽電池に接続され、太陽側に向かって反射性相互接続シールドが配置される相互接続が封入材にて封止される、作製方法。
【請求項１２】
両面受光型太陽電池モジュールの作製方法であって、
複数の太陽電池を複数の裏面パッケージ化構成要素と複数の前面パッケージ化構成要素との間に配置する工程において、前記複数の裏面パッケージ化構成要素は、光が透過して前記両面受光型太陽電池モジュールの後部から前記複数の太陽電池に到達することが可能な透明部分を含み、前記複数の裏面パッケージ化構成要素は、前記両面受光型太陽電池モジュールの前部から入射する光を反射する反射部分を含む、工程と、
前記複数の前面パッケージ化構成要素を形成する工程において、前記複数の太陽電池と前記複数の裏面パッケージ化構成要素とが一緒になって保護パッケージを生成する工程と、
前記保護パッケージをフレーム上に装着する工程と、を含み、
前記両面受光型太陽電池モジュールが、
複数の裏面コンタクト型太陽電池と、
前記複数の太陽電池と接触する相互接続と、
前記相互接続の太陽側に向かって配置される反射性相互接続シールドと、
を有する、作製方法。
【発明の詳細な説明】
【技術分野】
【０００１】
本明細書に記載する対象の実施形態は、概して太陽電池に関する。より具体的には、対象の実施形態は、太陽電池モジュールに関する。
【背景技術】
【０００２】
太陽電池は、太陽放射光を電気エネルギーに変換するための周知の装置である。太陽電池は、太陽放射光を集光するために通常の動作中に太陽に面する前面と、前面の反対側の裏面とを有する。太陽電池に太陽放射光が当たると電子及び正孔が生成され、これらの電子及び正孔が拡散領域に移動することにより、拡散領域間に電位差が生じる。例えば負荷などの外部電気回路が太陽電池に接続され、それにより給電され得るように、対応する拡散領域に金属コンタクトが形成される。
【０００３】
太陽電池を直列接続し、一緒にパッケージ化して、太陽電池モジュールを形成することができる。パッケージ化は、太陽電池を環境から保護するものであり、前面上のトップカバーと、太陽電池を封入する封入材と、裏面上に絶縁材を提供するバックシートとを備え得る。本発明の実施形態は、太陽放射光の収集を増加させることを可能にするバックシート及び他の裏面パッケージ化構成要素に関する。
【発明の概要】
【課題を解決するための手段】
【０００４】
一実施形態では、両面受光型太陽電池モジュールは、前面パッケージ化構成要素と裏面パッケージ化構成要素とによって保護された太陽電池を含む。前面パッケージ化構成要素は、太陽電池モジュールの前部上の透明トップカバーを含む。裏面パッケージ化構成要素は、太陽電池モジュールの後部から光が入射して太陽電池に到達するのを可能にする透明部分と、太陽電池モジュールの前部から入射する光を反射する反射部分とを有する。例えばバックシート上に着色顔料を印刷することによって、透明部分及び反射部分をバックシートと一体化してもよい。反射部分はまた、バックシートから分離している反射板構成要素上に存在してもよい。その場合は、反射板構成要素はパッケージ化の前又は後に、クリアなバックシートの上方に配置されてもよい。
【０００５】
本発明のこれら及びその他の特徴は、添付の図面及び特許請求の範囲を含む本開示の全体を読むことにより、当業者には容易に理解されよう。
【図面の簡単な説明】
【０００６】
より完全な本主題の理解は、明細書及び特許請求の範囲を、以下の図面と併せて考察し、参照することによって導き出すことができ、同様の参照番号は、図面全体を通して同様の要素を指す。図の縮尺通りではない。
【図１】本発明の一実施形態による両面受光型太陽電池モジュールを示す。
【図２】本発明の一実施形態による両面受光型太陽電池モジュールの作製方法を概略的に図示する断面図である。
【図３】本発明の一実施形態による両面受光型太陽電池モジュールの作製方法を概略的に図示する断面図である。
【図４】本発明の一実施形態による両面受光型太陽電池モジュールの作製方法を概略的に図示する断面図である。
【図５】本発明の一実施形態による両面受光型太陽電池モジュールにおける太陽電池の配列を概略的に示す。
【図６】本発明の一実施形態による両面受光型太陽電池モジュールの断面を概略的に示す。
【図７】本発明の一実施形態による両面受光型太陽電池モジュールの別の断面を概略的に示す。
【図８】本発明の一実施形態によるバックシートを示す。
【図９】本発明の一実施形態による両面受光型太陽電池モジュールの後部の太陽電池に重ねて載置されたバックシートを概略的に示す。
【図１０】本発明の別の実施形態によるバックシートを概略的に示す。
【図１１】本発明の一実施形態による両面受光型太陽電池モジュールの後部の太陽電池に重ねて載置されたバックシートを概略的に示す。
【図１２】本発明の一実施形態による両面受光型太陽電池モジュールの後部のバックシートから分離している反射板構成要素を概略的に示す。
【図１３】本発明の別の実施形態による両面受光型太陽電池モジュールの後部のバックシートから分離している反射板構成要素を概略的に示す。
【発明を実施するための形態】
【０００７】
本開示において、本発明の実施形態の全体の理解を提供するために、構成要素、材料及び方法の例のような、多数の具体的な詳細が提供される。しかしながら、当業者であれば、本発明はこれらの具体的な詳細のうちの１又は複数を欠いても実施できることは理解されよう。他の例では、本発明の態様を不明瞭にすることを避けるため、周知の詳細については図示又は説明をしていない。
【０００８】
図１は、本発明の一実施形態による両面受光型太陽電池モジュール１００を示す。両面受光型太陽電池モジュール１００は、屋根上などの静止用途に使用され、又は太陽光発電所によって使用されるように設計されている点で、所謂「地表太陽電池モジュール」である。図１の例では、両面受光型太陽電池モジュール１００は、相互に接続された太陽電池１０１のアレイを含む。図を分かりやすくするために、図１においては一部の太陽電池１０１のみに記号を付している。図１の例では、太陽電池１０１は複数の裏面コンタクト型太陽電池を備えている。裏面コンタクト型太陽電池においては、全ての拡散領域及びこれらの拡散領域に結合した金属コンタクトが太陽電池の裏面に形成される。すなわち、Ｐ型及びＮ型の拡散領域と、それらに結合された金属コンタクトとの両方が、太陽電池の裏面に存在する。本発明の実施形態は、さもなければ無駄になるであろう裏面からの太陽放射光の収集を可能にするので、複数の裏面コンタクト型太陽電池とともに使用されたときに特に有利である。他の実施形態では、太陽電池１０１が前面コンタクト型太陽電池又は他のタイプの太陽電池であってもよい。
【０００９】
図１に、太陽電池１０１の前面を見ることができる。太陽電池１０１の前面は通常の動作中に太陽に面するので、「太陽側」とも呼ばれる。太陽電池１０１の裏面は、前面の反対側である。フレーム１０２は、太陽電池１０１の機械的支持を提供する。両面受光型太陽電池モジュール１００の前部１０３は、太陽電池１０１の前面と同一の面上にあり、図１に見ることができる。両面受光型太陽電池モジュール１００の後部１０４は、前部１０３の下方に存在する。両面受光型太陽電池モジュール１００の後部１０４は、太陽電池１０１の裏面と同一の面上にある。両面受光型太陽電池モジュール１００は、前部１０３及び後部１０４から入射する太陽放射光の収集が可能である点において、「両面受光型」である。
【００１０】
図２〜４は、本発明の一実施形態による両面受光型太陽電池モジュール１００の作製方法を概略的に図示する断面図である。
【００１１】
図２は、本発明の一実施形態による両面受光型太陽電池モジュール１００の構成要素を示す分解図である。両面受光型太陽電池モジュール１００は、透明トップカバー２５１と、封入材シート２５２と、太陽電池１０１と、相互接続２５４と、バックシート２５３とを備え得る。バックシート２５３は、太陽電池モジュール１００の他の構成要素に環境からの保護を提供する任意の単層又は多層の材料であり得る。例えば、フルオロポリマー、ポリフッ化ビニリデン、ポリテトラフルオロエチレン、ポリプロピレン、ポリフェニレンサルファイド、ポリエステル、ポリカーボネート、ポリフェニレンオキサイドが、単層として又はバックシートの多層の一部として使用され得る。前部１０３の封入材２５２は「２５２−１」として標記されており、後部１０４の封入材２５２は「２５２−２」と標記されている。透明トップカバー２５１及び前面の封入材２５２−１は前面パッケージ化構成要素としての役割を果たし、封入材２５２−２及びバックシート２５３は裏面パッケージ化構成要素としての役割を果たす。図２の例では、透明トップカバー２５１は最も外側の前面パッケージ化構成要素であり、バックシート２５３は最も外側の裏面パッケージ化構成要素である。
【００１２】
透明トップカバー２５１及び封入材２５２は、光学的に透明な材料を含む。前部１０３上の最頂部層である透明トップカバー２５１は、太陽電池１０１を環境から保護する。両面受光型太陽電池モジュール１００は、通常の動作中、透明トップカバー２５１が太陽に面するように野外に設置される。太陽電池１０１の前面は、透明トップカバー１０１を経由して太陽の方に向いている。図２の例では、透明トップカバー２０１は、ガラス（例えば、厚さ３．２ｍｍのソーダライムガラス）を備える。
【００１３】
封入材２５２は、太陽電池１０１を封入して保護するように構成される。一実施形態では、封入材２５２は、太陽電池１０１の前面から両面受光型太陽電池モジュール１００の他の部分への電荷の漏洩を防止することにより太陽電池の分極を防止するように構成されている高抵抗率材料を備える。一実施形態において、封入材２５２は電荷に対する高抵抗率経路となり、透明トップカバー２５１を経由した、太陽電池１０１の前面からフレーム１０２又は両面受光型太陽電池モジュール１００の他の部分への電荷漏洩を防止する。図２の例では、高抵抗率封入材２５２のシートが太陽電池１０１の前面及び裏面上に配置されている。いくつかの実施形態では、高抵抗率封入材２５２のシートは、太陽電池１０１の前面上のみに存在する。それらの実施形態では、太陽電池１０１の裏面上の封入材のシートは、例えば、ポリ−エチル−酢酸ビニル（「ＥＶＡ」）など、高抵抗率封入材ではない。
【００１４】
相互接続２５４は、太陽電池１０１を電気的に相互接続するように金属を含んでもよい。図２の例では、太陽電池１０１は直列に接続された裏面接触型太陽電池を備えており、相互接続２５４は、太陽電池１０１の裏面の対応するＰ型及びＮ型の拡散領域に電気的に接続される。一実施形態では、相互接続シールド（例えば、図７のシールド２５６を参照）が太陽側の相互接続２５４に配置されて、前部１０３から見たときに相互接続２５４を視覚的にブロックし、かつ／又は、散乱するように反射面を提供する（すなわち、前部１０３から入射する光を複数の角度で反射する）。太陽電池用の相互接続シールドは、参照により本明細書にその全容が組み込まれる同一出願人による米国特許第７，３９０，９６１号にもまた開示されている。
【００１５】
太陽電池１０１の裏面は、バックシート２５３に面している。一実施形態において、バックシート２５３は、Ｔｅｄｌａｒ／ポリエステル／ＥＶＡ（「ＴＰＥ」）を含む。バックシート２５３は、いくつか例を挙げれば、Ｔｅｄｌａｒ／ポリエステル／Ｔｅｄｌａｒ（「ＴＰＴ」）、又は、フルオロポリマーを含む多層バックシートも含み得る。バックシート２５３は、後部１０４上に存在する。以下で更に明白になるように、バックシート２５３は、さもなければ後部１０４の方に逃すことになるであろう光を反射するために反射面が印刷されたバックシートを備え得る。
【００１６】
一実施形態において、透明トップカバー２５１、前面上の封入材２５２−１、相互接続２５４により電気的に接続されている太陽電池１０１、裏面上の封入材２５２−２、及びバックシート２５３は、一体に形成されて保護パッケージを作製する。このことは図３に示され、前述の構成要素が図２に示した積み重ね順で一体に形成されている。より具体的には、太陽電池１０１は封入材２５２−１と２５２−２との間に挟まれており、バックシート２５３は封入材２５２−２の下に置かれており、透明トップカバー２５１は封入材２５２−１の上方に置かれている。直前に述べた構成要素は、次いで例えば真空積層によって押圧及び加熱される。積層プロセスは、封入材２５２−１のシートと封入材２５２−２のシートとを一緒に溶融して太陽電池１０１を封入する。図３では、封入材２５２−１及び封入材２５２−２は、単に「２５２」と付されており、それらが共に溶融されたことを示している。
【００１７】
図４は、フレーム１０２に取り付けられた図３の保護パッケージを示す。太陽電池１０１は封入材２５２中に封入されているため、フレーム１０２から電気的に絶縁されている。
【００１８】
図５は、本発明の一実施形態による両面受光型太陽電池モジュール１００における太陽電池１０１の配列を概略的に示す。図を分かりやすくするために、一部の太陽電池１０１のみが示されている。図５の例では、太陽電池１０１は段と列が作る矩形に配列されている。太陽電池１０１は、列に沿って相互接続２５４により直列に電気的に接続され得る。太陽電池１０１の列は、太陽電池１０１の隣接した列に、列の端部で直列接続することができる（図示せず）。勿論、太陽電池１０１の段を相互接続してもよい。
【００１９】
各太陽電池１０１は、隣接した太陽電池１０１から両側約２ｍｍの間隔で配置されてよい。以下で更に明白になるように、バックシート２５３（又は他の裏面パッケージ化構成要素）上の反射面によって、太陽電池１０１の間に相互接続２５４の存在しない空間をカバーすることができる。例えば、点線２５８によって概ね囲まれている空間は、バックシート２５３の対応する反射部分を有し得る。反射部分は、隣接した太陽電池１０１の側面（例えば、側面２５９を参照）の間の区域、及び隣接した４つの太陽電池１０１により形成される「菱形」区域（例えば、菱形区域２６０を参照）をカバーし得る。
【００２０】
図６は、本発明の一実施形態による両面受光型太陽電池モジュール１００の断面を概略的に示す。図６は、太陽電池１０１の段に沿った断面であり、側面は相互接続２５４によって接続されていない（例えば、図５のＡ−Ａ区間を参照）。図６の例では、太陽電池１０１は列に沿って（図のページに入っていく方向において）相互接続２５４により接続されている。
【００２１】
一実施形態では、バックシート２５３は反射部分２５３−１及び複数の透明部分２５３−２を有する。反射部分２５３−１は光を散乱するための反射面を提供し、複数の透明部分２５３−２は光が容易に透過できるようにクリアである。動作中、前部１０３から入射する光は透明トップカバー２５１及び封入材２５２を通過し、太陽電池１０１の前面に到達することができる（矢印３０１を参照）。前面部分１０３から入射して太陽電池１０１の間を通過した光は反射部分２５３−１により反射されて（矢印３０２を参照）前部１０３に向かう。さもなければ無駄になるであろう反射光の一部は、その後に太陽電池１０１の前面に入る（矢印３０２を参照）。後部１０４から入射する光は複数の透明部分２５３−２を通じて入り（矢印３０３を参照）、その後に太陽電池１０１の裏面又は前面に入ることができる。バックシート２５３の反射性の／透明な設計、又はこの反射性の／透明な設計を採用した他の裏面パッケージ化構成要素は、このようにして、太陽放射光の収集を増加することを可能にする。
【００２２】
一実施形態では、反射部分２５３−１は、４００ナノメートル〜１２００ナノメートルまでの全波長において少なくとも３０％、好ましくは５０％、より好ましくは７０％の平均反射率を有する。例えば、反射部分２５３−１は白色顔料（例えば、二酸化チタン、硫酸バリウム、及びそれらの混合物）を含み得る。反射部分２５３−１は、例えば紫外線（ＵＶ）安定剤及び／又は熱安定剤など他の材料もまた含み得る。反射部分２５３−１に適した他の色としては、黒色、赤色、緑色、又は化粧目的の他の色が挙げられる。一般的には、反射部分２５３−１の材料及び色は、特定の太陽電池モジュールのための最適な光の散乱のために選択することができる。例えば、銀は優れた反射板であり得るが、銀で作られた反射部分２５３−１は、反射した光のほとんどが太陽電池モジュールから単に直線に反射することができるだけなので、効率的に十分な光を散乱することができない場合がある。その場合、銀又は他の高反射性の材料を用いるときは、反射部分２５３−１にテクスチャを与えて光散乱を最適化することができる。
【００２３】
反射材は、クリアすなわち完全に透明なバックシート２５３上に直接に印刷することができる。印刷された部分は反射部分２５３−１を形成し、反射材が印刷されていない部分は複数の透明部分２５３−２を形成する。
【００２４】
図７は、本発明の実施形態による両面受光型太陽電池モジュール１００の別の断面を概略的に示す。図７は、相互接続２５４が存在する太陽電池１０１の列に沿った断面である（例えば、図５の断面Ｂ−Ｂを参照）。図７の例では、反射性相互接続シールド２５６は、さもなければ対応する相互接続２５４の前面に当たるであろう光を反射するように太陽側に向かって配置される。反射性相互接続シールド２５６はバックシート２５３の反射部分２５３−１と同じ特性及び特徴を有し得る。動作中、前部１０３から入射する光は透明トップカバー２５１及び封入材２５２を通過し、太陽電池１０１の前面に到達する（矢印３１１を参照）。前面１０３から入射したものの太陽電池１０１の間を通過した光は相互接続シールド３０４により反射されて（矢印３１２を参照）前部１０３に向かう。さもなければ無駄になっていたであろう反射光の一部はその後に太陽電池１０１の前面に入る（矢印３１２を参照）。後部１０４から入射する光は複数の透明部分２５３−２を通じて入り（矢印３１３を参照）、その後、太陽電池１０１の裏面又は前面に入ることができる。
【００２５】
図８は、本発明の一実施形態によるバックシート２５３を示す。図８の例では、反射部分２５３−１は太陽電池１０１の間の相互接続２５４が存在しない（例えば太陽電池１０１の列の間など）一次元のみに沿って太陽電池１０１の間の空間をカバーするように構成される。例えば、反射部分２５３−１は、（例えば製造中の位置合わせ許容誤差のために）太陽電池１０１の両面の間の空間の８０％〜３００％及び４つの隣接した太陽電池１０１により形成される菱形の区域をカバーするように構成され得る。複数の透明部分２５３−２は、バックシート２５３を光が自由に通過して太陽電池１０１に達するのを可能にする。複数の透明部分２５３−２は、４００ナノメートル〜１２００ナノメートルまでの全波長において少なくとも５０％、好ましくは７０％、より好ましくは９０％の平均光透過率を有し得る。
【００２６】
図９は、本発明の一実施形態による両面受光型太陽電池モジュール１００の後部１０４上の太陽電池１０１の上に重ね合わされたバックシート２５３を概略的に示す。図９の例は、後部１０４から見たときの両面受光型太陽電池モジュール１００を示す。バックシート２５３は、太陽電池１０１の上方に配設され（図９ではごく一部のみ画標記されている）、例えば真空積層によって一緒に形成される。太陽電池１０１を接続する相互接続２５４のいくつかは、参照目的のために図９に標記されている。太陽電池１０１の裏面は複数の透明部分２５３−２を通じて示されており、太陽電池１０１の隣接した列の間の空間は反射部分２５３−１によってカバーされている。
【００２７】
他の実施形態では、反射部分２５３−１は、例えば太陽電池１０１の列と段の間など、２つの次元間の空間もまたカバーし得る。この実施形態の一例が図１０のバックシート２５３Ａに示されており、ここで、反射部分２５３−１は太陽電池１０１の間の縦次元及び横次元の空間をカバーしている。反射部分２５３−１は、この実施形態では各太陽電池１０１の周囲を囲んでいる。前例と同じく、複数の透明部分２５３−２は太陽電池１０１の裏面を露出して、後部１０４からの光を通過させる。反射部分２５３−１はまた、２つの次元に沿って、フレームと、隣接した太陽電池１０１との間の空間もカバーしている。
【００２８】
図１１は、本発明の一実施形態による両面受光型太陽電池モジュール１００の後部１０４上の太陽電池１０１の上に重ね合わされた図１０のバックシート２５３Ａを概略的に示す。図１１の例は、後部１０４から見たときの両面受光型太陽電池モジュール１００を示す。バックシート２５３Ａは、太陽電池１０１の上方に配設され（図１１ではごく一部のみが標記されている）、例えば真空積層によって一緒に形成される。太陽電池１０１の裏面は複数の透明部分２５３−２を通じて示されており、一方、隣接した太陽電池１０１と、隣接した太陽電池１０１の間の空間、及び隣接した太陽電池１０１とフレームの間の空間は反射部分２５３−１によってカバーされている。
【００２９】
反射部分２５３−１をバックシート２５３と一体化することは、（反射部分と複数の透明部分が既に存在するバックシート２５３を提供するため）両面受光型太陽電池モジュール１００の製造を簡易にする。しかしながら、反射部分２５３−１をバックシート２５３と一体化しなくてもよい。例えば、反射部分のないクリアなバックシートを使用してもよい。その場合、保護パッケージを作った後に、別個に白色（又は他の色の）テープ又は他の反射板構成要素をクリアなバックシート上に取り付けてよい。この実施形態の一例が図１２に概略的に示されており、透明カバー２５１と、封入材２５２により封入されている太陽電池１０１と、バックシート３７１とが、例えば真空積層によって、一緒にパッケージ化されている。バックシート３７１は、両面受光型太陽電池モジュール１００の後部から来る光を受け入れるように太陽電池１０１の裏面を露出する完全にクリアなバックシートを備える。反射部分２５３−１に類似した特徴及びパターンを有する反射板構成要素３７２を、積層後にバックシート３７１に取り付けてもよい。例えば、反射板構成要素３７２は、バックシート３７１に取り付けられた白色テープを備え得る。
【００３０】
反射板構成要素３７２は、図１３に示すようにパッケージ化される前にクリアなバックシート３７２と封入材２５２−２との間に配置されてもよい。その後に透明カバー２５１、封入材２５２−１、２５２−２、太陽電池１０１、反射材３７２、及びバックシート３７１を一緒に形成して、例えば真空積層によって、保護パッケージが作られる。
【００３１】
両面受光型太陽電池モジュール及びその製造方法について説明した。本発明の具体的な実施形態を提供したが、これらの実施形態は説明を目的としたものであり、限定ではないことは理解されよう。多くの追加的実施形態が、本開示を読む当業者にとっては明らかとなろう。
【図１】
2018137465.tif 000003
【図２】
2018137465.tif 000004
【図３】
2018137465.tif 000005
【図４】
2018137465.tif 000006
【図５】
2018137465.tif 000007
【図６】
2018137465.tif 000008
【図７】
2018137465.tif 000009
【図８】
2018137465.tif 000010
【図９】
2018137465.tif 000011
【図１０】
2018137465.tif 000012
【図１１】
2018137465.tif 000013
【図１２】
2018137465.tif 000014
【図１３】
2018137465.tif 000015
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
両面受光型太陽電池モジュールであって、
複数の太陽電池と、
前記複数の太陽電池を封入する封入材と、
前記両面受光型太陽電池モジュールの後部上のバックシートと、
連続的な反射部分と、前記連続的な反射部分と同一平面にあり前記反射部分によって複数の空間に区画される複数の透明部分とを有する反射板構成要素と、
を備える、両面受光型太陽電池モジュール。
【請求項２】
前記反射板構成要素は、前記封入材と前記バックシートとの間に設けられる、請求項１に記載の両面受光型太陽電池モジュール。
【請求項３】
前記バックシートは、前記反射板構成要素と前記封入材との間に設けられる、請求項１に記載の両面受光型太陽電池モジュール。
【請求項４】
前記バックシートは、前記バックシートの外側部上のバックシートに取り付けられる、請求項１に記載の両面受光型太陽電池モジュール。
【請求項５】
前記バックシートは透明なバックシートである、請求項１から４のいずれか１項に記載の両面受光型太陽電池モジュール。
【請求項６】
前記複数の太陽電池はアレイ状に配置され、前記連続的な反射部分は前記アレイの行及び列をカバーする、請求項１から５のいずれか１項に記載の両面受光型太陽電池モジュール。
【請求項７】
前記複数の太陽電池はアレイ状に配置され、前記連続的な反射部分は前記アレイの１つの次元をカバーする、請求項１から５のいずれか１項に記載の両面受光型太陽電池モジュール。
【請求項８】
さらに前記両面受光型太陽電池モジュールの前部上に設けられる透明なトップカバーを有する、請求項１から７のいずれか１項に記載の両面受光型太陽電池モジュール。
【請求項９】
前記透明なトップカバー、前記封入材、前記反射板構成要素、及び前記バックシートに機械的な支持を提供するフレームを更に備える、請求項８に記載の両面受光型太陽電池モジュール。
【請求項１０】
前記複数の太陽電池が、複数の裏面コンタクト型太陽電池を含む、請求項１から９のいずれか１項に記載の両面受光型太陽電池モジュール。
【請求項１１】
両面受光型太陽電池モジュールであって、
アレイ状に配置される複数の太陽電池と、
前記複数の太陽電池を封入する封入材と、
透明なバックシートと、
連続的な反射部分と、同一平面にあり前記連続的な反射部分によって複数の空間に区画される複数の透明部分とを有し、前記連続的な反射部分は前記アレイの第１の次元をカバーする反射板構成要素と、
を備える、両面受光型太陽電池モジュール。
【請求項１２】
前記第１の次元は前記アレイの行であり、前記連続的な反射部分は前記アレイの列をさらにカバーする、請求項１１に記載の両面受光型太陽電池モジュール。
【請求項１３】
前記反射板構成要素は、前記透明なバックシートと前記封入材との間に設けられる、請求項１１または１２に記載の両面受光型太陽電池モジュール。
【請求項１４】
前記透明なバックシートは、前記封入材と前記反射板構成要素との間に設けられる、請求項１１から１３のいずれか１項に記載の両面受光型太陽電池モジュール。
【請求項１５】
さらに前記両面受光型太陽電池モジュールの前部上に設けられる透明トップカバーを有する、請求項１１から１４のいずれか１項に記載の両面受光型太陽電池モジュール。
【請求項１６】
前記透明なトップカバー、前記封入材、前記反射板構成要素、及び前記バックシートを支持するフレームを更に備える、請求項１５に記載の両面受光型太陽電池モジュール。
【請求項１７】
両面受光型太陽電池モジュールであって、
前記両面受光型太陽電池モジュールの前部上に設けられる透明なトップカバーと、
前記両面受光型太陽電池モジュールの後部上に設けられるバックシートと、
複数の太陽電池を封入し、前記透明なトップカバーと前記バックシートの間に配置される封入材と、
連続的な反射部分と複数の透明部分とを有し、前記複数の透明部分が同一平面にあり前記反射部分によって複数の空間に区画される反射板構成要素と、
前記透明なトップカバー、前記バックシート、前記封入材、及び前記反射板構成要素に機械的に支持するフレームと、
を備える、両面受光型太陽電池モジュール。
【請求項１８】
前記バックシートは透明なバックシートであり、前記反射板構成要素は前記封入材と前記バックシートとの間に設けられる、請求項１７に記載の両面受光型太陽電池モジュール。
【請求項１９】
前記バックシートは透明なバックシートであり、前記反射板構成要素は前記バックシートの外側上に設けられる、請求項１７に記載の両面受光型太陽電池モジュール。
【請求項２０】
前記太陽電池が、バックコンタクト方式の太陽電池を含む、請求項１７から１９のいずれか１項に記載の両面受光型太陽電池モジュール。